(57)【要約】【課題】光ファイバを複数加入者間で共有するＰＯＮシステムにおいては、通常はＯＬＴを１台しか設置できないため、光ファイバの分岐を１本単位で別の通信事業者に貸し出しを行うことが難しい。そこで、ＯＬＴを複数台使用可能にし、異なる通信事業者が独自のＯＬＴを使用してサービスを提供することで１本単位の貸し出しを可能とし、さらに、互いのサービスへの影響が少なく管理も容易なＰＯＮシステムを得る。【解決手段】主ＯＬＴ１１に配下に属する１台以上のＯＮＵを備えたＰＯＮシステムにおいて、主ＯＬＴ１１に加えて副ＯＬＴ１２を設け、副ＯＬＴ１２にも配下に属する１台以上のＯＮＵを設け、これらを１つのＰＯＮシステムに収容できるため、例えば、主ＯＬＴ１１を通信事業者Ａが設置し、副ＯＬＴ１２を通信事業者Ｂが設置した場合において、通信事業者Ａから通信事業者Ｂへの光ファイバの貸し出しを１分岐単位で行うことができる効果がある。【選択図】図１
2010166237.tif 000002
【特許請求の範囲】
【請求項１】
副局側装置と共に各々が互いに異なる上位ネットワークに接続され、該接続された上位ネットワークから入力される情報を複数の光回線終端装置に光ファイバを介して下り光信号として送信すると共に上記複数の光回線終端装置より光ファイバを介して同一波長の上り光信号を受信し、該接続された上位ネットワークに該受理した情報を出力する主局側装置において、
当該主局側装置の配下に属する光回線終端装置の上り送信時刻を設定して上記光ファイバに送信すると共に上記副局側装置の上り送信可能時刻を上記設定した上り送信時刻を除いて設定し、当該主局側装置の配下に属する光回線終端装置からの上り光信号を受理して、接続される上位ネットワークに該受理した情報を出力することを特徴とする主局側装置。
【請求項２】
主局側装置と共に各々が互いに異なる上位ネットワークに接続され、該接続された上位ネットワークから入力される情報を光回線終端装置に光ファイバを介して下り光信号として送信すると共に上記光回線終端装置より光ファイバを介して同一波長の上り光信号を受信し、該接続された上位ネットワークに該受理した情報を出力する副局側装置において、
上記主局側装置により設定される上り送信可能時刻に基づいて当該副局側装置の配下に属する光回線終端装置の上り送信時刻を設定して上記光ファイバに送信し、当該副局側装置の配下に属する光回線終端装置からの上り光信号を受理して、接続される上位ネットワークに該受理した情報を出力することを特徴とする副局側装置。
【請求項３】
各々が互いに異なる上位ネットワークに接続され、複数の光回線終端装置に光ファイバを介して下り光信号を送信すると共に上記複数の光回線終端装置より光ファイバを介して同一波長の上り光信号を受信する第１から第ｎ（ｎは２以上の任意の自然数）の局側装置を備え、
上記第１の局側装置は、
自局側装置の配下に属する光回線終端装置の上り送信時刻を設定して上記光ファイバに送信すると共に他局側装置の上り送信可能時刻を上記設定した上り送信時刻を除いて設定し、該自局側装置の配下に属する光回線終端装置からの上り光信号を受理して、接続される上位ネットワークに該受理した情報を出力し、
上記第ｎの局側装置は、
上記第１の局側装置により設定された上り送信可能時刻に基づいて自局側装置の配下に属する光回線終端装置の上り送信時刻を設定して上記光ファイバに送信し、該自局側装置の配下に属する光回線終端装置からの上り光信号を受理して、接続される上位ネットワークに該受理した情報を出力することを特徴とする中央局。
【請求項４】
第１から第ｎの局側装置より送信される下り光信号は、互いに異なる波長であることを特徴とする請求項３記載の中央局。
【請求項５】
第１から第ｎの局側装置より送信される下り光信号は、同一波長であり、
上記第１の局側装置は、
他局側装置の下り送信可能時刻を設定し、上記設定した下り送信可能時刻を除いた下り送信時刻に下り光信号を光ファイバを介して送信し、
上記第ｎの局側装置は、
上記第１の局側装置により設定された下り送信可能時刻に基づいて下り送信時刻を設定して該下り送信時刻に下り光信号を光ファイバを介して送信することを特徴とする請求項３記載の中央局。
【請求項６】
第１の局側装置は、
光ファイバを介して他局側装置に上り送信可能時刻または下り送信可能時刻を光信号により送信することを特徴とする請求項３または請求項５記載の中央局。
【請求項７】
第１の局側装置は、
電気信号線を介して他局側装置に上り送信可能時刻または下り送信可能時刻を電気信号により送信することを特徴とする請求項３または請求項５記載の中央局。
【請求項８】
第２の局側装置は、
第１の局側装置から上り送信可能時刻が受信されない場合に該第１の局側装置の故障であると判断し、該第１の局側装置に代わって上り送信可能時刻を設定することを特徴とする請求項３から請求項７のうちのいずれか１項記載の中央局。
【請求項９】
局側装置は、
送信情報と共に送信先装置に応じた識別子を送信し、送信情報と共に識別子が受信された場合に、該識別子と自装置に記憶された識別子とを照合し、一致した場合に受信された送信情報を受理することを特徴とする請求項３から請求項８のうちのいずれか１項記載の中央局。
【請求項１０】
各々が切り替え手段を介して上位ネットワークに接続され、複数の光回線終端装置に光ファイバを介して下り光信号を送信すると共に上記複数の光回線終端装置より光ファイバを介して同一波長の上り光信号を受信する第１および第２の局側装置を備え、
上記第１の局側装置は、
自局側装置の配下に属する光回線終端装置の上り送信時刻を設定して上記光ファイバに送信すると共に自局側装置の下り送信時刻に下り光信号を上記光ファイバを介して送信し、他局側装置の上りおよび下り送信可能時刻を送信可能時刻無しと設定し、該自局側装置の配下に属する光回線終端装置からの上り光信号を受理して、上記切り替え手段を介して上位ネットワークに該受理した情報を出力し、
上記第２の局側装置は、
上記第１の局側装置から送信可能時刻無しの送信可能時刻が受信されない場合に該第１の局側装置の故障であると判断し、該第１の局側装置に代わって該第１の局側装置の配下に属する光回線終端装置の上り送信時刻を設定して上記光ファイバに送信すると共に自局側装置の下り送信時刻に下り光信号を上記光ファイバを介して送信し、該配下に属する光回線終端装置からの上り光信号を受理して、上記切り替え手段を介して上位ネットワークに該受理した情報を出力することを特徴とする中央局。
【請求項１１】
第１から第ｎ（ｎは２以上の任意の自然数）の局側装置と、
上記第１から第ｎの局側装置のうちのいずれかの局側装置の配下に属するように設けられた複数の光回線終端装置と、
上記第１から第ｎの局側装置および上記複数の光回線終端装置間に光ファイバを介して接続され、上記第１から第ｎの局側装置より送信される下り光信号を合成すると共に上記複数の光回線終端装置に分配し、上記複数の光回線終端装置より送信される同一波長の上り光信号を合成すると共に上記第１から第ｎの局側装置に分配する合成分配手段とを備え、
上記第１の局側装置は、
自局側装置の配下に属する光回線終端装置の上り送信時刻を設定して上記光ファイバに送信すると共に他局側装置の上り送信可能時刻を上記設定した上り送信時刻を除いて設定し、
上記第ｎの局側装置は、
上記第１の局側装置により設定された上り送信可能時刻に基づいて自局側装置の配下に属する光回線終端装置の上り送信時刻を設定して上記光ファイバに送信し、
上記複数の光回線終端装置は、
上記合成分配手段および上記光ファイバを介して受信される上記第１から第ｎの局側装置により設定された上り送信時刻に上り光信号を上記光ファイバを介して送信することを特徴とする光通信システム。
【請求項１２】
第１から第ｎの局側装置より送信される下り光信号は、互いに異なる波長であることを特徴とする請求項１１記載の光通信システム。
【請求項１３】
第１から第ｎの局側装置より送信される下り光信号は、同一波長であり、
上記第１の局側装置は、
他局側装置の下り送信可能時刻を設定し、上記設定した下り送信可能時刻を除いた下り送信時刻に下り光信号を光ファイバを介して送信し、
上記第ｎの局側装置は、
上記第１の局側装置により設定された下り送信可能時刻に基づいて下り送信時刻を設定して該下り送信時刻に下り光信号を光ファイバを介して送信することを特徴とする請求項１１記載の光通信システム。
【請求項１４】
第１の局側装置は、
光ファイバおよび合成分配手段を介して他局側装置に上り送信可能時刻または下り送信可能時刻を光信号により送信することを特徴とする請求項１１または請求項１３記載の光通信システム。
【請求項１５】
第１の局側装置は、
電気信号線を介して他局側装置に上り送信可能時刻または下り送信可能時刻を電気信号により送信することを特徴とする請求項１１または請求項１３記載の光通信システム。
【請求項１６】
第２の局側装置は、
第１の局側装置から上り送信可能時刻が受信されない場合に該第１の局側装置の故障であると判断し、該第１の局側装置に代わって上り送信可能時刻を設定することを特徴とする請求項１１から請求項１５のうちのいずれか１項記載の光通信システム。
【請求項１７】
局側装置および光回線終端装置は、
送信情報と共に送信先装置あるいは送信元装置に応じた識別子を送信し、送信情報と共に識別子が受信された場合に、該識別子と自装置に記憶された識別子とを照合し、一致した場合に受信された送信情報を受理することを特徴とする請求項１１から請求項１６のうちのいずれか１項記載の光通信システム。
【請求項１８】
第１および第２の局側装置と、
上記第１の局側装置の配下に属するように設けられた複数の光回線終端装置と、
上記第１および第２の局側装置および上記複数の光回線終端装置間に光ファイバを介して接続され、上記第１または第２の局側装置より送信される下り光信号を上記複数の光回線終端装置に分配し、上記複数の光回線終端装置より送信される同一波長の上り光信号を合成すると共に上記第１および第２の局側装置に分配する合成分配手段とを備え、
上記第１の局側装置は、
自局側装置の配下に属する光回線終端装置の上り送信時刻を設定して上記光ファイバに送信すると共に自局側装置の下り送信時刻に下り光信号を上記光ファイバを介して送信し、他局側装置の上りおよび下り送信可能時刻を送信可能時刻無しと設定し、
上記第２の局側装置は、
上記第１の局側装置から送信可能時刻無しの送信可能時刻が受信されない場合に該第１の局側装置の故障であると判断し、該第１の局側装置に代わって該第１の局側装置の配下に属する光回線終端装置の上り送信時刻を設定して上記光ファイバに送信すると共に自局側装置の下り送信時刻に下り光信号を上記光ファイバを介して送信することを特徴とすることを特徴とする光通信システム。
【発明の詳細な説明】
【技術分野】
【０００１】
この発明は、ＧＥ−ＰＯＮ（Ｇｉｇａｂｉｔ Ｅｔｈｅｒｎｅｔ−Ｐａｓｓｉｖｅ Ｏｐｔｉｃａｌ Ｎｅｔｗｏｒｋ）（Ｅｔｈｅｒｎｅｔは登録商標／以下省略して記載）等の、光ファイバを複数加入者間で共有する光通信システムにおいて、局側装置（ＯＬＴ：Ｏｐｔｉｃａｌ  Ｌｉｎｅ  Ｔｅｒｍｉｎａｌ）に複数事業者の装置を使用できるようにした主局側装置、副局側装置、中央局および光通信システムに関するものである。
【背景技術】
【０００２】
近年のブロードバンド回線の急速な普及に伴い、また、経済的および安定的に高速な通信を提供するために、ＦＴＴＨ（Ｆｉｂｅｒ  Ｔｏ  Ｔｈｅ  Ｈｏｍｅ）への期待が高まっている。このＦＴＴＨサービスの一形態として、１本の光ファイバを複数のユーザで共用するＰＯＮ（Ｐａｓｓｉｖｅ  Ｏｐｔｉｃａｌ  Ｎｅｔｗｏｒｋ）システムが知られている。
【０００３】
このシステムは、中央局等に設置するＯＬＴ、加入者宅に設置するＯＮＵ（Ｏｐｔｉｃａｌ  Ｎｅｔｗｏｒｋ  Ｕｎｉｔ）、スターカプラおよび光ファイバからなる。ＰＯＮシステムにはいくつかの種類があり、例えば、下記非特許文献１のＧＥ―ＰＯＮ方式がある。
このようなＰＯＮシステムでは、ＯＬＴに接続する光ファイバ１本で多数の加入者を効率的に収容できる。この利点を生かすために、実際にスターカプラは、中央局で少数の分岐を行った後、加入者宅の近くで再度分岐する構成が採られることが多い。
【先行技術文献】
【非特許文献】
【０００４】
【非特許文献１】ＩＥＥＥ８０２．３‐２００５（登録商標）
【発明の概要】
【発明が解決しようとする課題】
【０００５】
従来の光通信システムは以上のように構成されているので、光ファイバ網を持つ通信事業者は、法規制等により他通信事業者への光ファイバ貸し出し（アンバンドル）する義務が生じる場合がある。この場合、従来では、中央局内での分岐の１つを下流のスターカプラ毎に貸し出すか、または、ＯＬＴ以下を共用し、上位のスイッチで事業者を分離する必要があった。
【０００６】
しかし、前者の場合は、借用側の通信事業者が一人の加入者にサービスを提供する場合にでも、分岐数分（例えば、４台分）全てを借用することになり、借用コストが大きくなる課題がある。また、後者の場合は、ＯＬＴはＰＯＮシステム上に１台しか設置できないため、各通信事業者はＯＬＴの機能変更が必要となるようなサービスの差別化をすることができない。さらに、片方の通信事業者の事情により、ＯＬＴを停止または変更することができず、管理上の障害となるという課題があった。
【０００７】
この発明は上記のような課題を解決するためになされたもので、局側装置を複数台使用可能にし、異なる通信事業者が独自の局側装置を使用してサービスを提供することで、別の通信事業者に光ファイバの分岐を１本単位で貸し出し可能とし、さらに、互いのサービスへの影響が少なく管理も容易な主局側装置、副局側装置、中央局および光通信システムを得ることを目的とする。
【課題を解決するための手段】
【０００８】
この発明に係る光通信システムは、第１から第ｎの局側装置と、第１から第ｎの局側装置のうちのいずれかの局側装置の配下に属するように設けられた複数の光回線終端装置と、第１から第ｎの局側装置および複数の光回線終端装置間に光ファイバを介して接続され、第１から第ｎの局側装置より送信される下り光信号を合成すると共に複数の光回線終端装置に分配し、複数の光回線終端装置より送信される同一波長の上り光信号を合成すると共に第１から第ｎの局側装置に分配する合成分配手段とを備え、第１の局側装置は、自局側装置の配下に属する光回線終端装置の上り送信時刻を設定して光ファイバに送信すると共に他局側装置の上り送信可能時刻を設定した上り送信時刻を除いて設定し、第ｎの局側装置は、第１の局側装置により設定された上り送信可能時刻に基づいて自局側装置の配下に属する光回線終端装置の上り送信時刻を設定して上記光ファイバに送信し、複数の光回線終端装置は、合成分配手段および上記光ファイバを介して受信される第１から第ｎの局側装置により設定された上り送信時刻に上り光信号を光ファイバを介して送信するものである。
【発明の効果】
【０００９】
この発明によれば、複数の論理的な局側装置と光回線終端装置との組み合わせを、１つの物理的な光通信システムに収容できるため、光ファイバの貸し出しを１分岐単位で行うことができる。従って、光ファイバを借用する通信事業者は、光ファイバ借用コストを低減することができる。また、互いに独立に局側装置を変更および停止することができるため、管理の独立性を高めることができる効果がある。
【図面の簡単な説明】
【００１０】
【図１】この発明の実施の形態１によるＰＯＮシステムを示す構成図である。
【図２】この発明の実施の形態１によるＯＬＴおよびＯＮＵの詳細を示す構成図である。
【図３】この発明の実施の形態１によるＯＬＴおよびＯＮＵの送信処理を示すタイミングチャートである。
【図４】この発明の実施の形態２によるＯＬＴおよびＯＮＵの詳細を示す構成図である。
【図５】この発明の実施の形態２によるＯＬＴおよびＯＮＵの送信処理を示すタイミングチャートである。
【図６】この発明の実施の形態３によるＯＬＴおよびＯＮＵの詳細を示す構成図である。
【図７】この発明の実施の形態３によるＯＬＴおよびＯＮＵの送信処理を示すタイミングチャートである。
【図８】この発明の実施の形態４によるＯＬＴおよびＯＮＵの詳細を示す構成図である。
【図９】この発明の実施の形態４によるＯＬＴおよびＯＮＵの送信処理を示すタイミングチャートである。
【図１０】この発明の実施の形態５によるＰＯＮシステムを示す構成図である。
【図１１】この発明の実施の形態５によるＯＬＴおよびＯＮＵの詳細を示す構成図である。
【図１２】この発明の実施の形態６によるＰＯＮシステムを示す構成図である。
【発明を実施するための形態】
【００１１】
以下、この発明の実施の一形態を説明する。
実施の形態１．
図１はこの発明の実施の形態１によるＰＯＮシステムを示す構成図であり、図において、このＰＯＮシステム（光通信システム）は、中央局１に、光ファイバ２および光ファイバ２を合成および分配するスターカプラ（合成分配手段）３，４を介して加入者宅５〜７が接続される。
【００１２】
また、中央局１において、例えば、通信事業者Ａが設置した主ＯＬＴ（主局側装置、第１の局側装置）１１は、通信事業者Ａの上位ネットワーク２１に接続され、通信事業者Ｂが設置した副ＯＬＴ（副局側装置、第２の局側装置）１２は、通信事業者Ｂの上位ネットワーク２２に接続される。
【００１３】
さらに、加入者宅５において、主ＯＬＴ１１の配下に属するＯＮＵ（光回線終端装置）３１は、ユーザ端末４１に接続され、加入者宅６において、主ＯＬＴ１１の配下に属するＯＮＵ（光回線終端装置）３２は、ユーザ端末４２に接続され、加入者宅７において、副ＯＬＴ１２の配下に属するＯＮＵ（光回線終端装置）３３は、ユーザ端末４３に接続される。
【００１４】
なお、図１では加入者宅５〜７の３つの加入者宅だけ図示したが、実際にはもっとたくさんの加入者宅に接続されたものであっても良く、また、副ＯＬＴ１２の配下に属する加入者宅も加入者宅７だけではなく、もっとたくさんの加入者宅に接続されるものであっても良い。
【００１５】
図２はこの発明の実施の形態１によるＯＬＴおよびＯＮＵの詳細を示す構成図であり、図において、主ＯＬＴ１１、副ＯＬＴ１２、主ＯＬＴ１１の配下に属するＯＮＵ３１、および副ＯＬＴ１２の配下に属するＯＮＵ３３の詳細構成を示すものである。
【００１６】
主ＯＬＴ１１において、上位側インタフェース１１ａは、上位ネットワークから入力される下りフレームに、送信先のＯＮＵの識別番号（識別子）を付加し、また、入力される上りフレームに付加された送信元のＯＮＵの識別番号が当該主ＯＬＴ１１の配下に属するＯＮＵの識別番号に相当するか照合し、一致する場合に上りフレームを上位ネットワークに転送し、不一致の場合に上りフレームを破棄するものである。なお、当該主ＯＬＴ１１の配下に属するＯＮＵの識別番号は、予め上位側インタフェース１１ａに記憶されたものである。
【００１７】
ＰＯＮクロック１１ｂは、時刻を発生するものである。ゲートフレーム生成器１１ｃは、ＰＯＮクロック１１ｂから発生される時刻に基づいて、主ＯＬＴ１１の配下に属するＯＮＵの上り送信時刻を設定して、その送信先のＯＮＵの識別番号を付加したゲートフレームと呼ばれる制御フレームを生成すると共に、副ＯＬＴ１２の上り送信可能時刻を上記設定した上り送信時刻を除いて設定して、その送信先の副ＯＬＴ１２の識別番号を付加したゲートフレームを生成するものである。
【００１８】
合成器１１ｄは、下りフレームおよびゲートフレームを合成するものである。光送信器１１ｅは、電気信号の下りフレームおよびゲートフレームを波長λ１の光信号に変換して送信するものである。
【００１９】
波長多重分離フィルタ１１ｆは、２本の光ファイバ側から各々波長λ１および波長λの光信号の入出力を可能にし、２本の光ファイバ側から各々入力される波長λ１および波長λの光信号を多重して１本の光ファイバ側への出力を可能にし、１本の光ファイバ側から入力される波長λ１および波長λの光信号を分離して２本の光ファイバ側への出力を可能にしたものである。
【００２０】
光受信器１１ｇは、受信される波長λの光信号の上りフレームを電気信号に変換するものである。分配器１１ｈは、上りフレームを上位側インタフェース１１ａおよびゲートフレーム生成器１１ｃに分配するものである。
【００２１】
副ＯＬＴ１２において、上位側インタフェース１２ａは、上位ネットワークから入力される下りフレームに、送信先のＯＮＵの識別番号を付加し、また、入力される上りフレームに付加された送信元のＯＮＵの識別番号が当該副ＯＬＴ１２の配下に属するＯＮＵの識別番号に相当するか照合し、一致する場合に上りフレームを上位ネットワークに転送し、不一致の場合に上りフレームを破棄するものである。なお、当該副ＯＬＴ１２の配下に属するＯＮＵの識別番号は、予め上位側インタフェース１２ａに記憶されたものである。
【００２２】
ＰＯＮクロック１２ｂは、ＰＯＮクロック１１ｂと同期した時刻を発生するものである。ゲートフレーム解読生成器１２ｃは、後述する光受信器１２ｊから出力されるゲートフレームに付加された送信先の識別番号が当該副ＯＬＴ１２の識別番号に相当するか照合し、一致する場合に、そのゲートフレームの上り送信可能時刻およびＰＯＮクロック１２ｂから発生される時刻に基づいて、当該副ＯＬＴ１２の配下に属するＯＮＵの上り送信時刻を設定して、その送信先のＯＮＵの識別番号を付加したゲートフレームを生成するものである。
【００２３】
合成器１２ｄは、下りフレームおよびゲートフレームを合成するものである。光送信器１２ｅは、電気信号の下りフレームおよびゲートフレームを波長λ２の光信号に変換して送信するものである。
【００２４】
波長多重分離フィルタ１２ｆは、２本の光ファイバ側から各々波長λ２および波長λの光信号の入出力を可能にし、２本の光ファイバ側から各々入力される波長λ２および波長λの光信号を多重して１本の光ファイバ側への出力を可能にし、１本の光ファイバ側から入力される波長λ２および波長λの光信号を分離して２本の光ファイバ側への出力を可能にしたものである。
【００２５】
光受信器１２ｇは、受信される波長λの光信号の上りフレームを電気信号に変換するものである。分配器１２ｈは、上りフレームを上位側インタフェース１２ａおよびゲートフレーム解読生成器１２ｃに分配するものである。波長多重分離フィルタ１２ｉは、入力される光信号のうち波長λ１の光信号のみ入力可能にしたものである。光受信器１２ｊは、受信される波長λ１の光信号のゲートフレームを電気信号に変換し、ゲートフレーム解読生成器１２ｃに出力するものである。
【００２６】
ＯＮＵ３１において、波長多重分離フィルタ３１ａは、２本の光ファイバ側から各々波長λ１および波長λの光信号の入出力を可能にし、２本の光ファイバ側から各々入力される波長λ１および波長λの光信号を多重して１本の光ファイバ側への出力を可能にし、１本の光ファイバ側から入力される波長λ１および波長λの光信号を分離して２本の光ファイバ側への出力を可能にしたものである。
【００２７】
光受信器３１ｂは、受信される波長λ１の光信号の下りフレームおよびゲートフレームを電気信号に変換するものである。分配器３１ｃは、下りフレームおよびゲートフレームを分配するものである。ユーザ側インタフェース３１ｄは、入力される下りフレームに付加された送信先のＯＮＵの識別番号が当該ＯＮＵの識別番号に相当するか照合し、一致する場合に下りフレームをユーザ端末に転送し、不一致の場合に下りフレームを破棄し、また、ユーザ端末から入力される上りフレームに、当該ＯＮＵの識別番号を付加するものである。
【００２８】
ＰＯＮクロック３１ｅは、ＰＯＮクロック１１ｂ，１２ｂと同期した時刻を発生するものである。ゲートフレーム解読器３１ｆは、分配器３１ｃから分配されるゲートフレームに付加された送信先の識別番号が当該ＯＮＵの識別番号に相当するか照合し、一致する場合に、そのゲートフレームの上り送信時刻およびＰＯＮクロック３１ｅから発生される時刻に基づいて、読み出しタイミング信号を出力するものである。
【００２９】
上りキュー３１ｇは、ユーザ側インタフェース３１ｄからの上りフレームを蓄積し、ゲートフレーム解読器３１ｆから出力される読み出しタイミング信号に応じて、蓄積された上りフレームを読み出すものである。光送信器３１ｈは、電気信号の上りフレームを波長λの光信号に変換して送信するものである。
【００３０】
ＯＮＵ３３において、波長多重分離フィルタ３３ａは、２本の光ファイバ側から各々波長λ２および波長λの光信号の入出力を可能にし、２本の光ファイバ側から各々入力される波長λ２および波長λの光信号を多重して１本の光ファイバ側への出力を可能にし、１本の光ファイバ側から入力される波長λ２および波長λの光信号を分離して２本の光ファイバ側への出力を可能にしたものである。
【００３１】
光受信器３３ｂは、受信される波長λ２の光信号の下りフレームおよびゲートフレームを電気信号に変換するものである。分配器３３ｃは、下りフレームおよびゲートフレームを分配するものである。ユーザ側インタフェース３３ｄは、入力される下りフレームに付加された送信先のＯＮＵの識別番号が当該ＯＮＵの識別番号に相当するか照合し、一致する場合に下りフレームをユーザ端末に転送し、不一致の場合に下りフレームを破棄し、また、ユーザ端末から入力される上りフレームに、当該ＯＮＵの識別番号を付加するものである。
【００３２】
ＰＯＮクロック３３ｅは、ＰＯＮクロック１１ｂ，１２ｂ，３１ｅと同期した時刻を発生するものである。ゲートフレーム解読器３３ｆは、分配器３３ｃから分配されるゲートフレームに付加された送信先の識別番号が当該ＯＮＵの識別番号に相当するか照合し、一致する場合に、そのゲートフレームの上り送信時刻およびＰＯＮクロック３３ｅから発生される時刻に基づいて、読み出しタイミング信号を出力するものである。
【００３３】
上りキュー３３ｇは、ユーザ側インタフェース３３ｄからの上りフレームを蓄積し、ゲートフレーム解読器３３ｆから出力される読み出しタイミング信号に応じて、蓄積された上りフレームを読み出すものである。光送信器３３ｈは、電気信号の上りフレームを波長λの光信号に変換して送信するものである。
【００３４】
次に動作について説明する。
図１において、中央局１から加入者宅５〜７へのデータの流れを下り、加入者宅５〜７から中央局１へのデータの流れを上りとする。
【００３５】
下りデータの流れとしては、中央局１における上位ネットワーク２１から入力される下りフレームを主ＯＬＴ１１により波長λ１の下り光信号に変換し、また、上位ネットワーク２２から入力される下りフレームを副ＯＬＴ１２により波長λ２の下り光信号に変換し、それぞれ光ファイバ２およびスターカプラ３，４を介して加入者宅５〜７に送信する。
【００３６】
上りデータの流れとしては、加入者宅５におけるユーザ端末４１から入力される上りフレームをＯＮＵ３１により波長λの上り光信号に変換し、また、加入者宅６におけるユーザ端末４２から入力される上りフレームをＯＮＵ３２により波長λの上り光信号に変換し、さらに、加入者宅７におけるユーザ端末４３から入力される上りフレームをＯＮＵ３３により波長λの上り光信号に変換し、それぞれ光ファイバ２およびスターカプラ４，３を介して中央局１に送信する。
【００３７】
このように、この実施の形態１におけるＰＯＮシステムでは、主ＯＬＴ１１および副ＯＬＴ１２から互いに異なる波長λ１，λ２を有する下り光信号が送信され、ＯＮＵ３１〜３３から同一の波長λを有する上り光信号が送信されるものである。
【００３８】
ここで、下りおよび上りの通信においては、下り光信号の波長λ１，λ２と上り光信号の波長λとが相違することから、スターカプラ３，４間が１本の光ファイバ２であっても混信することなく双方向に通信を行うことができる。また、下りの通信においても、下り光信号の波長がλ１，λ２であり、互いに相違することから、スターカプラ３，４間が１本の光ファイバ２であっても混信することなく通信を行うことができる。
【００３９】
しかしながら、上りの通信においては、上り光信号の波長がλであり、同一であることから、後述のように、各ＯＮＵからの上り光信号の送信時間を設定することにより、スターカプラ３，４間が１本の光ファイバ２であっても混信することなく通信を行うものである。
【００４０】
また、図２は図１における主ＯＬＴ１１、副ＯＬＴ１２、主ＯＬＴ１１の配下に属するＯＮＵ３１、および副ＯＬＴ１２の配下に属するＯＮＵ３３のみの詳細構成を示したものであるが、主ＯＬＴ１１および副ＯＬＴ１２には、その他、配下に属するＯＮＵが存在するものであるが省略したものである。
【００４１】
また、主ＯＬＴ１１にはＰＯＮクロック１１ｂ、副ＯＬＴ１２にはＰＯＮクロック１２ｂ、ＯＮＵ３１にはＰＯＮクロック３１ｅ、およびＯＮＵ３３にはＰＯＮクロック３３ｅを持っているが、主ＯＬＴ１１に、副ＯＬＴ１２および各ＯＮＵが接続された段階で時刻を合わせ、接続中は常に同期しているものである。
【００４２】
さらに、各ＯＬＴおよび各ＯＮＵには、それぞれ固有の識別番号が設定されている。これらの接続時のやりとりの具体的な方法は規格により様々であるので言及しない。以下では、時刻の同期、および識別番号の設定が終わっているものとして説明する。
【００４３】
以下、図２において、主ＯＬＴ１１および副ＯＬＴ１２から各ＯＮＵへの下り光信号の流れについて説明する。
主ＯＬＴ１１において、右側の上位ネットワーク２１から上位側インタフェース１１ａに入力された下りフレームに、送信先のＯＮＵ（例えば、ＯＮＵ３１，３２（ＯＮＵ３２については図示せず））の識別番号を付加する。これを合成器１１ｄを介して光送信器１１ｅにより波長λ１の光信号に変換し、波長多重分離フィルタ１１ｆを介して光ファイバ２に送信する。
【００４４】
同様に、副ＯＬＴ１２において、右側の上位ネットワーク２２から上位側インタフェース１２ａに入力された下りフレームに、送信先のＯＮＵ（例えば、ＯＮＵ３３，３４（ＯＮＵ３４については図示せず））の識別番号を付加する。これを合成器１２ｄを介して光送信器１２ｅにより波長λ２の光信号に変換し、波長多重分離フィルタ１２ｆを介して光ファイバ２に送信する。
【００４５】
主ＯＬＴ１１より送信された波長λ１の下りの光信号、および副ＯＬＴ１２より送信された波長λ２の下りの光信号は、スターカプラ３により合成され、１本の光ファイバ２により送信され、さらに、スターカプラ４により分配され、全てのＯＬＴに波長λ１の下りの光信号と波長λ２の下りの光信号とが合成された光信号が送信される。
【００４６】
例えば、ＯＮＵ３１を例にすると、波長多重分離フィルタ３１ａは、受信される波長λ１，λ２の下りの光信号から波長λ１の下りの光信号だけを分離して入力する。入力された波長λ１の下りの光信号は、光受信器３１ｂにより電気信号に変換され、分配器３１ｃを介してユーザ側インタフェース３１ｄに入力される。
【００４７】
ユーザ側インタフェース３１ｄでは、入力された下りフレームに付加された送信先のＯＮＵの識別番号と自ＯＮＵの識別番号とを比較し、一致すればその下りフレームをユーザ端末４１側へ転送し、また、不一致の場合は廃棄する。
なお、ＯＮＵ３２においても同様に、下りフレームに付加された送信先のＯＮＵの識別番号と自ＯＮＵの識別番号とを比較し、下りフレームを受理する。
【００４８】
また、同様にＯＮＵ３３では、波長多重分離フィルタ３３ａは、受信される波長λ１，λ２の下りの光信号から波長λ２の下りの光信号だけを分離して入力する。入力された波長λ２の下りの光信号は、光受信器３３ｂにより電気信号に変換され、分配器３３ｃを介してユーザ側インタフェース３３ｄに入力される。
【００４９】
ユーザ側インタフェース３３ｄでは、入力された下りフレームに付加された送信先のＯＮＵの識別番号と自ＯＮＵの識別番号とを比較し、一致すればその下りフレームをユーザ端末４３側へ転送し、また、不一致の場合は廃棄する。
なお、ＯＮＵ３４においても同様に、下りフレームに付加された送信先のＯＮＵの識別番号と自ＯＮＵの識別番号とを比較し、下りフレームを受理する。
このようにして、主ＯＬＴ１１および副ＯＬＴ１２から配下に属する複数あるいは１つの所望のＯＮＵへ下り光信号を送信する。
【００５０】
次に、図２において、各ＯＮＵから主ＯＬＴ１１および副ＯＬＴ１２への上り光信号の流れについて説明する。
上述したように、複数のＯＮＵから上り光信号を同時に送信すると、スターカプラ４で信号が衝突して混ざり、ＯＬＴ側ではそれらを区別できなくなるため、衝突しない仕組みが必要である。
【００５１】
そこで、主ＯＬＴ１１におけるゲートフレーム生成器１１ｃは、ＰＯＮクロック１１ｂの時刻を用いて、各ＯＮＵからの光信号が衝突しないように互いにずらした送信可能な時刻を計算する。
まず、ゲートフレーム生成器１１ｃは、自ＯＬＴ（主ＯＬＴ１１）配下に属するＯＮＵ（ＯＮＵ３１，３２）に対して上り光信号の送信可能な送信時刻を個別に設定し、ＯＮＵ３１，３２の識別番号を付加したゲートフレームを生成する。
【００５２】
図３はこの発明の実施の形態１によるＯＬＴおよびＯＮＵの送信処理を示すタイミングチャートであり、この図３（１）に示すように、ＯＮＵ３１，３２への送信時刻のゲートフレームを生成する。
【００５３】
次に、ゲートフレーム生成器１１ｃは、他ＯＬＴ（副ＯＬＴ１２）に割り当て可能な送信時刻を、送信可能時刻として設定し、副ＯＬＴ１２の識別番号を付加したゲートフレームを生成する。
【００５４】
図３（２）に示すように、この送信可能時刻は、上記設定されたＯＮＵ３１，３２への送信時刻を除いた時刻に設定されるものであり、後に副ＯＬＴ１２におけるゲートフレーム生成器１２ｃでＯＮＵ３３，３４に対して上り光信号の送信可能な送信時刻を設定することが可能な時刻である。ゲートフレーム生成器１１ｃにおいて生成されたゲートフレームは、光送信器１１ｅにおいて波長λ１の光信号に変換されて送信され、スターカプラ４により分配され全てのＯＮＵに送信されるが、副ＯＬＴ１２にも分配される。
【００５５】
副ＯＬＴ１２では、波長多重分離フィルタ１２ｉにより、その波長λ１の光信号のみ入力し、光受信器１２ｊにより電気信号に変換され、ゲートフレーム解読生成器１２ｃに入力される。図３（３）に示すように、ゲートフレーム解読生成器１２ｃは、ゲートフレームによる送信可能時刻の範囲で、自ＯＬＴ（副ＯＬＴ１２）配下に属するＯＮＵ（ＯＮＵ３３，３４）に対して上り光信号の送信可能な送信時刻を個別に設定し、ＯＮＵ３３，３４の識別番号を付加したゲートフレームを生成する。ゲートフレーム生成器１２ｃにおいて生成されたゲートフレームは、光送信器１２ｅにおいて波長λ２の光信号に変換されて送信され、スターカプラ４により分配され全てのＯＮＵに送信される。
【００５６】
ＯＮＵ３１，３２では、例えば、ＯＮＵ３１を例にすると、波長多重分離フィルタ３１ａでは、波長λ１の下りの光信号だけを入力し、光受信器３１ｂにより電気信号に変換され、分配器３１ｃを介して変換したゲートフレームをゲートフレーム解読器３１ｆに出力する。ゲートフレーム解読器３１ｆでは、受信したゲートフレームを解読し、ゲートフレームに付加された自ＯＮＵ（ＯＮＵ３１）の識別番号に応じた送信時刻を記憶する。
【００５７】
また、左側のユーザ端末（ユーザ端末４１）からＯＮＵ３１に入力された上りフレームは、送信元の識別のためにＯＮＵ３１の識別番号が付加され、上りキュー３１ｇに一旦蓄積される。ゲートフレーム解読器３１ｆは、記憶した送信時刻になったら上りキュー３１ｇに読み出しタイミング信号を出力し、上りキュー３１ｇから読みだされた上りフレームは、光送信器３１ｈにより波長λの光信号に変換され送信される。
なお、ＯＮＵ３２においても同様に、ＯＮＵ３２の識別番号に応じた送信時刻で上りフレームを波長λの光信号で送信する。
ＯＮＵ３１，３２から送信される上りフレームを、図３（４）に示す。
【００５８】
ＯＮＵ３３，３４では、例えば、ＯＮＵ３３を例にすると、波長多重分離フィルタ３３ａでは、波長λ２の下りの光信号だけを入力し、光受信器３３ｂにより電気信号に変換され、分配器３３ｃを介して変換したゲートフレームをゲートフレーム解読器３３ｆに出力する。ゲートフレーム解読器３３ｆでは、受信したゲートフレームを解読し、ゲートフレームに付加された自ＯＮＵ（ＯＮＵ３３）の識別番号に応じた送信時刻を記憶する。
【００５９】
また、左側のユーザ端末（ユーザ端末４３）からＯＮＵ３３に入力された上りフレームは、送信元の識別のためにＯＮＵ３３の識別番号が付加され、上りキュー３３ｇに一旦蓄積される。ゲートフレーム解読器３３ｆは、記憶した送信時刻になったら上りキュー３３ｇに読み出しタイミング信号を出力し、上りキュー３３ｇから読みだされた上りフレームは、光送信器３３ｈにより波長λの光信号に変換され送信される。
なお、ＯＮＵ３４においても同様に、ＯＮＵ３４の識別番号に応じた送信時刻で上りフレームを波長λの光信号で送信する。
ＯＮＵ３３，３４から送信される上りフレームを、図３（５）に示す。
【００６０】
ＯＮＵ３１〜３４より送信される光信号は、光ファイバ２、スターカプラ３，４を介して主ＯＬＴ１１および副ＯＬＴ１２に分配される。
この時、ＯＮＵ３１，３２では主ＯＬＴ１１のゲートフレーム生成器１１ｃにより設定された送信時刻に送信し、ＯＮＵ３３，３４では主ＯＬＴ１１のゲートフレーム生成器１１ｃにより設定された上記送信時刻を除く送信可能時刻であって、副ＯＬＴ１２のゲートフレーム解読生成器１２ｃにより設定された送信時刻に送信する。したがって、１本の光ファイバ２上で上り光信号が衝突することなく、上り光信号の通信が可能になる。
【００６１】
主ＯＬＴ１１における波長多重分離フィルタ１１ｆでは、光ファイバ２から受信される波長λの光信号のみ入力して、光受信器１１ｇでは、受信される波長λの光信号の上りフレームを電気信号に変換する。上位側インタフェース１１ａでは、分配器１１ｈを介して入力される上りフレームに付加されたＯＮＵの識別番号が自ＯＬＴ（主ＯＬＴ１１）の配下に属するＯＮＵの識別番号に相当するか判定し、相当する場合にその上りフレームを上位ネットワーク２１へ転送し、また、相当しない場合は廃棄する。
【００６２】
なお、ゲートフレーム生成器１１ｃにおいて、分配器１１ｈを介して入力される上りフレームが、予め当該ゲートフレーム生成器１１ｃにおいて設定した送信時間内に受信された場合に、その上りフレームを上位ネットワーク２１へ転送するようにしても良い。
【００６３】
副ＯＬＴ１２における波長多重分離フィルタ１２ｆでは、光ファイバ２から受信される波長λの光信号のみ入力して、光受信器１２ｇでは、受信される波長λの光信号の上りフレームを電気信号に変換する。上位側インタフェース１２ａでは、分配器１２ｈを介して入力される上りフレームに付加されたＯＮＵの識別番号が自ＯＬＴ（副ＯＬＴ１２）の配下に属するＯＮＵの識別番号に相当するか判定し、相当する場合にその上りフレームを上位ネットワーク２２へ転送し、また、相当しない場合は廃棄する。
【００６４】
なお、ゲートフレーム解読生成器１２ｃにおいて、分配器１２ｈを介して入力される上りフレームが、予め当該ゲートフレーム解読生成器１２ｃにおいて設定した送信時間内に受信された場合に、その上りフレームを上位ネットワーク２２へ転送するようにしても良い。
このようにして、各ＯＮＵから自ＯＮＵを支配する所望の主ＯＬＴ１１および副ＯＬＴ１２へ上り光信号を送信する。
【００６５】
以上のように実施の形態１によれば、主ＯＬＴ１１に配下に属する１台以上のＯＮＵを備えたＰＯＮシステムにおいて、主ＯＬＴ１１に加えて副ＯＬＴ１２を設け、副ＯＬＴ１２にも配下に属する１台以上のＯＮＵを設け、これらを１つのＰＯＮシステムに収容できるため、例えば、主ＯＬＴ１１を通信事業者Ａが設置し、副ＯＬＴ１２を通信事業者Ｂが設置した場合において、通信事業者Ａから通信事業者Ｂへの光ファイバの貸し出しを１分岐単位で行うことができる。従って、光ファイバを借用する通信事業者Ｂは、光ファイバ借用コストを低減することができる効果がある。
【００６６】
また、この場合、通信事業者Ｂが設置した副ＯＬＴ１２は、下り信号に関しては完全に通信事業者Ａが設置した主ＯＬＴ１１から独立しており、上り信号に関しても主ＯＬＴ１１に設定された送信可能時刻内であれば自由に配下に属するＯＮＵの送信時刻を設定することができることから、互いに独立に主ＯＬＴ１１および副ＯＬＴ１２の制御の変更等を行うことができるため、通信事業者Ａ，Ｂの管理の独立性を高めることができる効果がある。
【００６７】
さらに、主ＯＬＴ１１に許可を受けることなく副ＯＬＴ１２が勝手に停止しても、主ＯＬＴ１１側に影響を与えることがないことから、副ＯＬＴ１２の停止においても主ＯＬＴ１１から独立に行うことができ、通信事業者Ｂの管理の独立性を高めることができる効果がある。
【００６８】
さらに、主ＯＬＴ１１から副ＯＬＴ１２への信号さえ取り決めておけば、下りの信号は波長が異なっていて独立であり、上りの信号も時刻の指定のみであるため、通信事業者Ａと通信事業者Ｂの通信方式や伝送速度が異なっていても混在することができる効果がある。
【００６９】
さらに、副ＯＬＴ１２も通信事業者Ａが設置すれば、１つのＰＯＮシステム上で複数のサービス（伝送速度が違う等）を提供することもできる効果がある。
【００７０】
さらに、主ＯＬＴ１１および副ＯＬＴ１２より送信される下り光信号を、互いに異なる波長を有するものとしたので、下り光信号に関しては主ＯＬＴ１１および副ＯＬＴ１２より送信される下り光信号の送信時刻を設定しなくても信号衝突による受信不良を回避することができる効果がある。
【００７１】
さらに、主ＯＬＴ１１から副ＯＬＴ１２に光ファイバ２を介して上り送信可能時刻を光信号により送信することにより、電気信号線等の構成を付加することなく、各送信可能時刻を送信することができる効果がある。
【００７２】
さらに、送信先および送信元のＯＮＵあるいはＯＬＴを識別番号で表記し、ＯＮＵあるいはＯＬＴでは、識別番号の照合により自装置宛ての送信情報であるか判定することにより、自装置宛ての送信情報のみを確実に受理することができる効果がある。
【００７３】
実施の形態２．
図４はこの発明の実施の形態２によるＯＬＴおよびＯＮＵの詳細を示す構成図であり、図において、ゲートフレーム解読生成器１２ｋは、上記実施の形態１に示したゲートフレーム解読生成器１２ｃの機能に加えて、予め設定された所定の時刻を過ぎても光受信器１２ｊからゲートフレームが出力されない場合に、主ＯＬＴ１１の故障であると判断し、主ＯＬＴ１１に代わって上り送信可能時刻を設定するものである。
その他の構成については実施の形態１と同様なので重複する説明を省略する。
【００７４】
次に動作について説明する。
この実施の形態２は、副ＯＬＴ１２において、主ＯＬＴ１１の故障検出を可能にし、故障検出した場合に、主ＯＬＴ１１に代わって副ＯＬＴ１２の上り送信可能時刻を設定するものである。
主ＯＬＴ１１が故障した場合や、通信事業者Ａの事情により主ＯＬＴ１１を意図的に停止する場合に、主ＯＬＴ１１から波長λ１の下りの光信号が送信されなくなる。したがって、副ＯＬＴ１２の光受信器１２ｊにおいても主ＯＬＴ１１からの波長λ１の下りの光信号が受信されなくなる。
【００７５】
ゲートフレーム解読生成器１２ｋは、予め設定された所定の時刻を過ぎても光受信器１２ｊからゲートフレームが出力されない場合に、主ＯＬＴ１１の故障であると判断し、主ＯＬＴ１１に代わって上り送信可能時刻を設定する。
【００７６】
図５はこの発明の実施の形態２によるＯＬＴおよびＯＮＵの送信処理を示すタイミングチャートであり、主ＯＬＴ１１の故障であると判断した場合に、副ＯＬＴ１２のゲートフレーム解読生成器１２ｋは、図５（１）に示すように、全時刻を副ＯＬＴ１２の上り送信可能時刻であると見なして、自ＯＬＴ（副ＯＬＴ１２）配下に属するＯＮＵ（ＯＮＵ３３，３４）に対して上り光信号の送信可能な送信時刻を個別に設定し、ＯＮＵ３３，３４の識別番号を付加したゲートフレームを生成する。
以下の動作は、上記実施の形態１と同様で、ＯＮＵ３３，３４は、図５（２）に示すように、受信される送信時刻に基づいて上り光信号を送信する。
【００７７】
また、主ＯＬＴ１１が復旧し、副ＯＬＴ１２の光受信器１２ｊを通じてゲートフレーム解読生成器１２ｋにゲートフレームが出力された場合に、主ＯＬＴ１１が復旧したと判断し、副ＯＬＴ１２は、上り送信可能時刻の設定代行を停止し、主ＯＬＴ１１からの上り送信可能時刻に基づいて上り光信号の送信時刻を設定する。
【００７８】
以上のように実施の形態２によれば、副ＯＬＴ１２において、主ＯＬＴ１１の故障を検出した場合に主ＯＬＴ１１に代わって上り送信可能時刻を設定することから、主ＯＬＴ１１を停止しても副ＯＬＴ１２以下の運用を継続することができ、主ＯＬＴ１１および副ＯＬＴ１２が互いに独立に設定の変更および故障による停止を行うことができ、さらに、管理の独立性を高めることができる効果がある。
【００７９】
実施の形態３．
図６はこの発明の実施の形態３によるＯＬＴおよびＯＮＵの詳細を示す構成図であり、図において、ゲートフレーム解読生成器１２ｌは、実施の形態１に示したゲートフレーム解読生成器１２ｃの機能に加えて、予め設定された所定の時刻を過ぎても光受信器１２ｊからゲートフレームが出力されない場合に、主ＯＬＴ１１の故障であると判断し、主ＯＬＴ１１に代わって当該副ＯＬＴ１２および副ＯＬＴ１３の上り送信可能時刻を設定するものである。
【００８０】
なお、ゲートフレーム解読生成器１２ｌは、主ＯＬＴ１１の故障であると判断した場合に、ＰＯＮクロック１１ｂから発生される時刻に基づいて、副ＯＬＴ１２の配下に属するＯＮＵの上り送信時刻を設定して、その送信先のＯＮＵの識別番号を付加したゲートフレームを生成すると共に、副ＯＬＴ１３の上り送信可能時刻を上記設定した上り送信時刻を除いて設定して、その送信先の副ＯＬＴ１３の識別番号を付加したゲートフレームを生成するものである。光送信器１２ｍは、電気信号の副ＯＬＴ１３の識別番号を付加したゲートフレームを波長λ１の光信号に変換して送信するものである。
【００８１】
図６において、副ＯＬＴ（第３の局側装置）１３、上位側インタフェース１３ａ、ＰＯＮクロック１３ｂ、ゲートフレーム解読生成器１３ｃ、合成器１３ｄ、光送信器１３ｅ、波長多重分離フィルタ１３ｆ、光受信器１３ｇ、分配器１３ｈ、波長多重分離フィルタ１３ｉ、および光受信器１３ｊは、上記実施の形態２で説明した副ＯＬＴ１２内の構成と変わりはないが、図６におけるゲートフレーム解読生成器１３ｃは、予め設定された所定の時刻を過ぎても光受信器１３ｊからゲートフレームが出力されない場合に、主ＯＬＴ１１および副ＯＬＴ１２の故障であると判断し、主ＯＬＴ１１および副ＯＬＴ１２に代わって上り送信可能時刻を設定するものである。また、光送信器１３ｅは、電気信号の下りフレームを波長λ３の光信号に変換して送信するものである。
【００８２】
図６において、ＯＮＵ３５内の構成については、波長多重分離フィルタ３５ａ、光受信器３５ｂ、分配器３５ｃ、ユーザ側インタフェース３５ｄ、ＰＯＮクロック３５ｅ、ゲートフレーム解読器３５ｆ、上りキュー３５ｇ、および光送信器３５ｈは、上記実施の形態１で説明したＯＮＵ３１およびＯＮＵ３３内の構成と変わりはないが、図６における波長多重分離フィルタ１２ｆは、２本の光ファイバ側から各々波長λ３および波長λの光信号の入出力を可能にし、２本の光ファイバ側から各々入力される波長λ３および波長λの光信号を多重して１本の光ファイバ側への出力を可能にし、１本の光ファイバ側から入力される波長λ３および波長λの光信号を分離して２本の光ファイバ側への出力を可能にしたものである。
その他の構成については実施の形態１と同様なので重複する説明を省略する。
【００８３】
次に動作について説明する。
この実施の形態３は、上記実施の形態１に説明した構成において、ＯＬＴを３台の構成（主ＯＬＴ１１、副ＯＬＴ１２、副ＯＬＴ１３）にすると共に、上記実施の形態２に説明したと同様に、副ＯＬＴ１２において、主ＯＬＴ１１の故障検出を可能にし、故障検出した場合に、主ＯＬＴ１１に代わって副ＯＬＴ１２および副ＯＬＴ１３の上り送信可能時刻を設定し、また、副ＯＬＴ１３において、主ＯＬＴ１１および副ＯＬＴ１２の故障検出を可能にし、故障検出した場合に、主ＯＬＴ１１および副ＯＬＴ１２に代わって副ＯＬＴ１３の上り送信可能時刻を設定するものである。
【００８４】
図７はこの発明の実施の形態３によるＯＬＴおよびＯＮＵの送信処理を示すタイミングチャートである。
図６において、ゲートフレーム生成器１１ｃは、上記実施の形態１の動作に加えて、他ＯＬＴ（副ＯＬＴ１３）に割り当て可能な送信時刻を、送信可能時刻として設定し、副ＯＬＴ１３の識別番号を付加したゲートフレームを生成する。
図７（１）に示すように、この送信可能時刻は、ＯＮＵ３１，３２への送信時刻および副ＯＬＴ１２への送信可能時刻を除いた時刻に設定されるものである。
【００８５】
副ＯＬＴ１３では、波長多重分離フィルタ１３ｉにより、その波長λ１の光信号のみ入力し、光受信器１３ｊにより電気信号に変換され、ゲートフレーム解読生成器１３ｃに入力される。図７（２）に示すように、ゲートフレーム解読生成器１３ｃは、ゲートフレームによる送信可能時刻の範囲で、自ＯＬＴ（副ＯＬＴ１３）配下に属するＯＮＵ（ＯＮＵ３５）に対して上り光信号の送信可能な送信時刻を設定し、ＯＮＵ３５の識別番号を付加したゲートフレームを生成する。
ゲートフレーム生成器１３ｃにおいて生成されたゲートフレームは、光送信器１３ｅにおいて波長λ３の光信号に変換されて送信され、スターカプラ４により分配され全てのＯＮＵに送信される。
【００８６】
ＯＮＵ３５では、波長多重分離フィルタ３５ａにより波長λ３の下りの光信号だけを入力し、光受信器３５ｂにより電気信号に変換され、分配器３５ｃを介して変換したゲートフレームをゲートフレーム解読器３５ｆに出力する。ゲートフレーム解読器３５ｆでは、受信したゲートフレームを解読し、ゲートフレームに付加された自ＯＮＵ（ＯＮＵ３５）の識別番号に応じた送信時刻を記憶する。
【００８７】
また、左側のユーザ端末からＯＮＵ３５に入力された上りフレームは、送信元の識別のためにＯＮＵ３５の識別番号が付加され、上りキュー３５ｇに一旦蓄積される。
ゲートフレーム解読器３５ｆは、記憶した送信時刻になったら上りキュー３５ｇに読み出しタイミング信号を出力し、上りキュー３５ｇから読みだされた上りフレームは、光送信器３５ｈにより波長λの光信号に変換され送信される。
ＯＮＵ３５から送信される上りフレームを、図７（３）に示す。
【００８８】
ＯＮＵ３１〜３５より送信される光信号は、光ファイバ２、スターカプラ３，４を介して主ＯＬＴ１１、副ＯＬＴ１２および副ＯＬＴ１３に分配される。
副ＯＬＴ１３における波長多重分離フィルタ１３ｆでは、光ファイバ２から受信される波長λの光信号のみ入力して、光受信器１３ｇでは、受信される波長λの光信号の上りフレームを電気信号に変換する。上位側インタフェース１３ａでは、分配器１３ｈを介して入力される上りフレームに付加されたＯＮＵの識別番号が自ＯＬＴ（副ＯＬＴ１３）の配下に属するＯＮＵの識別番号に相当するか判定し、相当する場合にその上りフレームを上位ネットワークへ転送し、また、相当しない場合は廃棄する。
このようにして、各ＯＮＵから自ＯＮＵを支配する所望の副ＯＬＴ１３へ上り光信号を送信する。
【００８９】
主ＯＬＴ１１が故障した場合や、通信事業者Ａの事情により主ＯＬＴ１１を意図的に停止する場合に、主ＯＬＴ１１から波長λ１の下りの光信号が送信されなくなる。したがって、副ＯＬＴ１２の光受信器１２ｊにおいても主ＯＬＴ１１からの波長λ１の下りの光信号が受信されなくなる。
【００９０】
ゲートフレーム解読生成器１２ｌは、予め設定された所定の時刻を過ぎても光受信器１２ｊからゲートフレームが出力されない場合に、主ＯＬＴ１１の故障であると判断し、主ＯＬＴ１１に代わって上り送信可能時刻を設定する。
主ＯＬＴ１１の故障であると判断した場合に、副ＯＬＴ１２のゲートフレーム解読生成器１２ｌは、全時刻を副ＯＬＴ１２の上り送信可能時刻であると見なして、自ＯＬＴ（副ＯＬＴ１２）配下に属するＯＮＵ（ＯＮＵ３３，３４）に対して上り光信号の送信可能な送信時刻を個別に設定し、ＯＮＵ３３，３４の識別番号を付加したゲートフレームを生成する。
【００９１】
また、副ＯＬＴ１２のゲートフレーム解読生成器１２ｌは、図７（４）に示すように、副ＯＬＴ１３の上り送信可能時刻を上記設定したＯＮＵ３３，３４の上り送信時刻を除いて設定して、その送信先の副ＯＬＴ１３の識別番号を付加したゲートフレームを生成する。光送信器１２ｍは、電気信号の副ＯＬＴ１３の識別番号を付加したゲートフレームを波長λ１の光信号に変換して送信する。
【００９２】
副ＯＬＴ１３では、ゲートフレーム解読生成器１３ｃにおいて通常通りゲートフレームが入力されるので、図７（５）に示すように、ゲートフレーム解読生成器１３ｃは、通常通りＯＮＵ３５に対してゲートフレームを生成する。
以下、ＯＮＵ３５は、図７（６）に示すように、受信される送信時刻に基づいて上り光信号を送信する。
【００９３】
さらに、副ＯＬＴ１２が故障した場合や、通信事業者Ｂの事情により副ＯＬＴ１２を意図的に停止する場合に、副ＯＬＴ１２から波長λ１の下りの光信号が送信されなくなる。したがって、副ＯＬＴ１３の光受信器１３ｊにおいても主ＯＬＴ１１および副ＯＬＴ１２からの波長λ１の下りの光信号が受信されなくなる。
【００９４】
ゲートフレーム解読生成器１３ｃは、予め設定された所定の時刻を過ぎても光受信器１３ｊからゲートフレームが出力されない場合に、主ＯＬＴ１１および副ＯＬＴ１２の故障であると判断し、主ＯＬＴ１１および副ＯＬＴ１２に代わって上り送信可能時刻を設定する。
【００９５】
主ＯＬＴ１１および副ＯＬＴ１２の故障であると判断した場合に、図７（７）に示すように、副ＯＬＴ１３のゲートフレーム解読生成器１３ｃは、全時刻を副ＯＬＴ１３の上り送信可能時刻であると見なして、副ＯＬＴ１３の配下に属するＯＮＵ３５に対して上り光信号の送信可能な送信時刻を設定し、ＯＮＵ３５の識別番号を付加したゲートフレームを生成する。
以下、ＯＮＵ３５は、図７（８）に示すように、受信される送信時刻に基づいて上り光信号を送信する。
【００９６】
また、主ＯＬＴ１１が復旧し、副ＯＬＴ１２の光受信器１２ｊを通じてゲートフレーム解読生成器１２ｋにゲートフレームが出力された場合に、主ＯＬＴ１１が復旧したと判断し、副ＯＬＴ１２は、主ＯＬＴ１１からの上り送信可能時刻に基づいて上り光信号の送信時刻を設定する。
【００９７】
さらに、副ＯＬＴ１３の光受信器１３ｊを通じてゲートフレーム解読生成器１３ｃにゲートフレームが出力された場合に、主ＯＬＴ１１が復旧したと判断し、副ＯＬＴ１３は、上り送信可能時刻の設定代行を停止し、主ＯＬＴ１１からの上り送信可能時刻に基づいて上り光信号の送信時刻を設定する。
【００９８】
以上のように実施の形態３によれば、主ＯＬＴ１１に配下に属する１台以上のＯＮＵを備えたＰＯＮシステムにおいて、主ＯＬＴ１１に加えて副ＯＬＴ１２，１３を設け、副ＯＬＴ１２，１３にも配下に属する１台以上のＯＮＵを設け、これらを１つのＰＯＮシステムに収容できるため、例えば、主ＯＬＴ１１を通信事業者Ａが設置し、副ＯＬＴ１２を通信事業者Ｂが設置し、副ＯＬＴ１３を通信事業者Ｃが設置した場合において、通信事業者Ａから通信事業者Ｂへの光ファイバの貸し出し、および通信事業者Ａから通信事業者Ｃへの光ファイバの貸し出しを１分岐単位で行うことができる。従って、光ファイバを借用する通信事業者Ｂ，Ｃは、光ファイバ借用コストを低減することができる効果がある。
【００９９】
また、３台以上のＯＬＴを１つのＰＯＮシステム上で接続し、互いに独立に主ＯＬＴ１１および副ＯＬＴ１２，１３の制御の変更等を行うことができるため、通信事業者Ａ，Ｂ，Ｃの管理の独立性を高めることができる効果がある。
【０１００】
さらに、主ＯＬＴ１１および副ＯＬＴ１２，１３が互いに独立に設定の変更および故障による停止を行うことができ、さらに、管理の独立性を高めることができる効果がある。
【０１０１】
実施の形態４．
図８はこの発明の実施の形態４によるＯＬＴおよびＯＮＵの詳細を示す構成図であり、図において、主ＯＬＴ１１における下りキュー１１ｉは、上位側インタフェース１１ａからの下りフレームを蓄積し、ゲートフレーム生成器１１ｊから出力される読み出しタイミング信号に応じて、蓄積された下りフレームを読み出すものである。
【０１０２】
ゲートフレーム生成器１１ｊは、上記実施の形態１に示したゲートフレーム生成器１１ｃの機能に加えて、副ＯＬＴ１２の下り送信可能時刻を設定して、その送信先の副ＯＬＴ１２の識別番号を付加したゲートフレームを生成するものである。また、ゲートフレーム生成器１１ｊは、設定した下り送信可能時刻を一旦記憶し、その設定した下り送信可能時刻を除いた下り送信時刻に下りフレームが読み出されるように、読み出しタイミング信号を下りキュー１１ｉに出力するものである。
【０１０３】
副ＯＬＴ１２において、下りキュー１２ｎは、上位側インタフェース１２ａからの下りフレームを蓄積し、ゲートフレーム解読生成器１２ｏから出力される読み出しタイミング信号に応じて、蓄積された下りフレームを読み出すものである。
【０１０４】
ゲートフレーム解読生成器１２ｏは、上記実施の形態１に示したゲートフレーム解読生成器１２ｃの機能に加えて、光受信器１２ｊから出力されるゲートフレームに付加された送信先の識別番号が当該副ＯＬＴ１２の識別番号に相当するか照合し、一致する場合に、そのゲートフレームの下り送信可能時刻を一旦記憶し、その設定した下り送信可能時刻に下りフレームが読み出されるように、読み出しタイミング信号を下りキュー１２ｎに出力するものである。
【０１０５】
光送信器１２ｐは、電気信号の下りフレームおよびゲートフレームを波長λ１の光信号に変換して送信するものである。波長多重分離フィルタ１２ｑは、２本の光ファイバ側から各々波長λ１および波長λの光信号の入出力を可能にし、２本の光ファイバ側から各々入力される波長λ１および波長λの光信号を多重して１本の光ファイバ側への出力を可能にし、１本の光ファイバ側から入力される波長λ１および波長λの光信号を分離して２本の光ファイバ側への出力を可能にしたものである。
【０１０６】
ＯＮＵ３３において、波長多重分離フィルタ３３ｉは、２本の光ファイバ側から各々波長λ１および波長λの光信号の入出力を可能にし、２本の光ファイバ側から各々入力される波長λ１および波長λの光信号を多重して１本の光ファイバ側への出力を可能にし、１本の光ファイバ側から入力される波長λ１および波長λの光信号を分離して２本の光ファイバ側への出力を可能にしたものである。
その他の構成については実施の形態１と同様なので重複する説明を省略する。
【０１０７】
次に動作について説明する。
この実施の形態４は、上記実施の形態１に説明した構成において、主ＯＬＴ１１および副ＯＬＴ１２からの下り光信号の波長をλ１＝λ２にしたものである。
ここで、上りの通信においては、上り光信号の波長がλであり、同一であることから、上述のように、各ＯＮＵからの上り光信号の送信時間を設定することにより、スターカプラ３，４間が１本の光ファイバ２であっても混信することなく通信を行ったが、下りの通信においても、下り光信号の波長がλ１であり、同一であることから、上述同様に、主ＯＬＴ１１および副ＯＬＴ１２からの下り光信号の送信時間を設定することにより、スターカプラ３，４間が１本の光ファイバ２であっても混信することなく通信を行うものである。
【０１０８】
図９はこの発明の実施の形態４によるＯＬＴおよびＯＮＵの送信処理を示すタイミングチャートである。
図８において、主ＯＬＴ１１における下りキュー１１ｉには、上位側インタフェース１１ａからの下りフレームを蓄積しておく。ゲートフレーム生成器１１ｊは、図９（１）に示すように、副ＯＬＴ１２の下り送信可能時刻を設定して、その送信先の副ＯＬＴ１２の識別番号を付加したゲートフレームを生成する。また、ゲートフレーム生成器１１ｊは、図９（２）に示すように、設定した下り送信可能時刻を一旦記憶し、その設定した下り送信可能時刻を除いた下り送信時刻に下りフレームが読み出されるように、読み出しタイミング信号を下りキュー１１ｉに出力する。なお、ゲートフレーム生成器１１ｊでは、副ＯＬＴ１２に設定した下り送信可能時刻以外の下り送信可能時刻範囲内であれば独自に下り送信時刻を設定することができる。
【０１０９】
下りキュー１１ｉは、ゲートフレーム生成器１１ｊから出力される読み出しタイミング信号に応じて、蓄積された下りフレームを読み出す。ゲートフレーム生成器１１ｊにおいて生成されたゲートフレームおよび下りキュー１１ｉから読み出された下りフレームは、光送信器１１ｅにおいて波長λ１の光信号に変換されて送信され、スターカプラ４により分配され全てのＯＮＵに送信されるが、副ＯＬＴ１２にも分配される。
【０１１０】
副ＯＬＴ１２における波長多重分離フィルタ１２ｉでは、その波長λ１の光信号のみ入力し、光受信器１２ｊにより電気信号に変換され、ゲートフレーム解読生成器１２ｏに入力される。また、下りキュー１２ｎには、上位側インタフェース１２ａからの下りフレームを蓄積しておく。
図９（３）に示すように、ゲートフレーム解読生成器１２ｏは、ゲートフレームによる下り送信可能時刻の範囲の、下り送信時刻に下りフレームが読み出されるように、読み出しタイミング信号を下りキュー１２ｎに出力する。なお、ゲートフレーム解読生成器１２ｏでは、副ＯＬＴ１２に設定された下り送信可能時刻範囲内であれば独自に下り送信時刻を設定することができる。
【０１１１】
下りキュー１２ｎは、ゲートフレーム解読生成器１２ｏから出力される読み出しタイミング信号に応じて、蓄積された下りフレームを読み出す。主ＯＬＴ１１および副ＯＬＴ１２からの波長λ１の下り光信号は、光ファイバ２、スターカプラ３，４により合成され、分岐され、全ＯＮＵに分配される。
【０１１２】
この時、送信時刻を分けているため、主ＯＬＴ１１および副ＯＬＴ１２からの波長λ１の下り光信号が光ファイバ２上で衝突することはない。
なお、ＯＮＵ３３における波長多重分離フィルタ３３ｉは、波長λ２に代えて波長λ１の光信号の入力を可能にしたものである。また、図９に示すように、ゲートフレーム解読生成器１２ｏからのＯＮＵ３３，３４への上り送信時刻のゲートフレームの出力は、下り送信可能時刻まで待って出力するようにしても良く、この場合、主ＯＬＴ１１からの下りフレームや下りゲートフレームと混信することなく通信を行うことができる。
【０１１３】
以上のように実施の形態４によれば、上記実施の形態１の効果に加えて、主ＯＬＴ１１では、副ＯＬＴ１２に設定した下り送信可能時刻以外の下り送信可能時刻範囲内であれば独自に下り送信時刻を設定することができ、また、副ＯＬＴ１２では、主ＯＬＴ１１が設定した下り送信可能時刻範囲内であれば独自に下り送信時刻を設定することができ、主ＯＬＴ１１および副ＯＬＴ１２が互いに独立に設定の変更を行うことができ、さらに、管理の独立性を高めることができる効果がある。
【０１１４】
また、特殊な波長λ２を使用する必要がないため、通信事業者Ａの装置と通信事業者Ｂの装置との部品の共通化が可能となり、副ＯＬＴ１２およびＯＮＵ３３のコストを低減することができる効果がある。
【０１１５】
さらに、上記実施の形態２および上記実施の形態３に示したような、主ＯＬＴ１１や副ＯＬＴ１２の故障検出が可能であったり、３台以上のＯＬＴが接続されるＰＯＮシステムに、この実施の形態４の下り光信号の波長を同一にした構成を適用するようにしても良く、その場合は両実施の形態の効果を加え合わせた効果がある。
【０１１６】
実施の形態５．
図１０はこの発明の実施の形態５によるＰＯＮシステムを示す構成図であり、図において、このＰＯＮシステムは、上記実施の形態１に示したＰＯＮシステムに加えて、主ＯＬＴ１１から副ＯＬＴ１２へ上り送信可能時刻を電気信号により送信する電気信号ライン（電気信号線）５１を設け、スターカプラ４から副ＯＬＴ１２への光ファイバ２を削除したものである。
【０１１７】
図１１はこの発明の実施の形態５によるＯＬＴおよびＯＮＵの詳細を示す構成図であり、図において、主ＯＬＴ１１におけるゲートフレーム生成器１１ｋは、副ＯＬＴ１２の上り送信可能時刻を電気信号により電気信号ライン５１に送信するものである。また、副ＯＬＴ１２におけるゲートフレーム解読生成器１２ｑは、電気信号ライン５１より上り送信可能時刻を受信するものである。
なお、この図１１は、図２に示したスターカプラ４から副ＯＬＴ１２への光ファイバ２、副ＯＬＴ１２における波長多重分離フィルタ１２ｉ、および光受信器１２ｊを削除したものである。
その他の構成については実施の形態１と同様なので重複する説明を省略する。
【０１１８】
次に動作について説明する。
この実施の形態５は、上記実施の形態１に説明した構成において、主ＯＬＴ１１におけるゲートフレーム生成器１１ｋにより生成される副ＯＬＴ１２の上り送信可能時刻を電気信号により電気信号ライン５１に送信するものである。
【０１１９】
なお、上記実施の形態４に説明したように、上り送信可能時刻に加えて下り送信可能時刻を電気信号により電気信号ライン５１に送信しても良く、この場合は、上り送信可能時刻および下り送信可能時刻に加えて、上り送信可能時刻であるか下り送信可能時刻であるかが識別可能な識別子も付加するようにすれば良い。
また、上記実施の形態３に説明したように、３台以上のＯＬＴを設け、複数の副ＯＬＴに上り送信可能時刻や下り送信可能時刻を電気信号により送信する場合には、副ＯＬＴを識別可能な識別番号も付加するようにすれば良い。
【０１２０】
以上のように実施の形態５によれば、主ＯＬＴ１１から副ＯＬＴに電気信号ライン５１を介して上り送信可能時刻または下り送信可能時刻を電気信号により送信することにより、一般的に高価な波長多重分離フィルタ１２ｉや光受信器１２ｊ等の構成を付加することなく、副ＯＬＴ１２の製作経費を低減することができる効果がある。
【０１２１】
なお、この実施の形態５の主ＯＬＴ１１から副ＯＬＴに電気信号ライン５１を介して上り送信可能時刻または下り送信可能時刻を電気信号により送信する構成を、上記実施の形態２および上記実施の形態３に示したような、主ＯＬＴ１１や副ＯＬＴ１２の故障検出が可能なＰＯＮシステムに適用し、副ＯＬＴでは電気信号による受信無しで故障検出し、主ＯＬＴ１１や副ＯＬＴ１２を代行するようにしても良く、この場合、両実施の形態の効果を加え合わせた効果がある。
【０１２２】
実施の形態６．
図１２はこの発明の実施の形態６によるＰＯＮシステムを示す構成図であり、図において、このＰＯＮシステムは、中央局１における、主ＯＬＴ１１および副ＯＬＴ１２がスイッチ（切り替え手段）６１を介して通信事業者Ａの上位ネットワーク２１に接続されたものである。
【０１２３】
また、この実施の形態６によるＰＯＮシステムは、上記実施の形態４に示したように、主ＯＬＴ１１および副ＯＬＴ１２から同一波長の波長λ１により下り光信号が送信されるものである。さらに、上記実施の形態２に示したように、副ＯＬＴ１２において主ＯＬＴ１１の故障検出および上り送信可能時刻および下り送信可能時刻の設定代行の機能を備えたものである。さらに、主ＯＬＴ１１および副ＯＬＴ１２が共に同一の配下に属するＯＮＵ３１，３２を有するものである。
その他の構成については、実施の形態１と同様なので重複する説明を省略する。
【０１２４】
次に動作について説明する。
この実施の形態６は、主ＯＬＴ１１および副ＯＬＴ１２が共に配下に属するＯＮＵ３１，３２を有し、上記実施の形態２に示した副ＯＬＴ１２における主ＯＬＴ１１の故障検出機能および上り送信可能時刻および下り送信可能時刻の設定代行機能を適用することにより、主ＯＬＴ１１を常用系に、副ＯＬＴ１２を予備系に用いるものである。
【０１２５】
この実施の形態６では、通信事業者ＡのみがＰＯＮシステムを運用するものであり、主ＯＬＴ１１および副ＯＬＴ１２は共に通信事業者Ａが設置する。
通常は、スイッチ６１を主ＯＬＴ１１側に接続し、通信事業者Ａの上位ネットワーク２１と主ＯＬＴ１１とを接続する。
【０１２６】
主ＯＬＴ１１および副ＯＬＴ１２の動作は、上記実施の形態４と同じであるが、主ＯＬＴ１１は、副ＯＬＴ１２に対し、上り送信可能時刻および下り送信可能時刻とも「送信可能時刻無し」を通知する。また、主ＯＬＴ１１および副ＯＬＴ１２は共に同じＯＮＵ３１，３２が配下に属するものであると設定しておく。
この構成により、通常時に各ＯＮＵ３１，３２は、主ＯＬＴ１１と通信を行い、副ＯＬＴ１２は下り光信号のモニタのみを行う動作となる。
【０１２７】
副ＯＬＴ１２は、主ＯＬＴ１１からの下り光信号が、予め設定された所定時間になっても副ＯＬＴ１２に対する「送信可能時刻無し」の送信可能時刻が受信されないことを用いて、主ＯＬＴ１１の故障あるいは停止を検出し、この時、スイッチ６１を副ＯＬＴ１２側に接続し、通信事業者Ａの上位ネットワーク２１と副ＯＬＴ１２とを接続する。また、上記実施の形態２で説明した動作にしたがい、副ＯＬＴ１２は、全時刻に対する上り送信可能時刻および下り送信可能時刻の時刻割り当てを行う。
【０１２８】
副ＯＬＴ１２には、主ＯＬＴ１１と同じＯＮＵ３１，３２が登録されているので、ＯＮＵ３１，３２は、主ＯＬＴ１１、スイッチ６１および上位ネットワーク２１の経路から副ＯＬＴ１２、スイッチ６１および上位ネットワーク２１の経路に代えることで、通信を継続することができる。
以上の動作により、主ＯＬＴ１１の故障に対する冗長化を実現できる。
【０１２９】
以上のように実施の形態６によれば、副ＯＬＴ１２において、主ＯＬＴ１１の故障を検出した場合に主ＯＬＴ１１に代わって上り送信時刻および下り送信時刻を設定することから、主ＯＬＴ１１を停止しても運用を継続することができ、複数のＯＬＴを設け、各々のＯＬＴが互いに独立に設定の変更および故障による停止を行うことができ、管理の独立性を高めることができる効果がある。
なお、この実施の形態６に示した構成に、上記実施の形態１から上記実施の形態５に示した様々な構成を適用することができることは言うまでもない。
【符号の説明】
【０１３０】
１  中央局、２  光ファイバ、３，４  スターカプラ（合成分配手段）、５〜７  加入者宅、１１  主ＯＬＴ（主局側装置、第１の局側装置）、１１ａ，１２ａ，１３ａ  上位側インタフェース、１１ｂ，１２ｂ，１３ｂ，３１ｅ，３３ｅ，３５ｅ  ＰＯＮクロック、１１ｃ，１１ｊ，１１ｋ  ゲートフレーム生成器、１１ｄ，１２ｄ，１３ｄ，１３ｅ  合成器、１１ｅ，１２ｅ，１２ｍ，１２ｐ，１３ｅ，１３ｇ，３１ｈ，３３ｈ，３５ｈ  光送信器、１１ｆ，１２ｆ，１２ｉ，１２ｑ，１３ｆ，１３ｉ，３１ａ，３３ａ，３３ｉ，３５ａ  波長多重分離フィルタ、１１ｇ，１２ｊ，１２ｇ，１３ｊ，３１ｂ，３３ｂ，３５ｂ  光受信器、１１ｈ，１２ｈ，１３ｈ，３１ｃ，３３ｃ，３５ｃ  分配器、１１ｉ，１２ｎ  下りキュー、１２  副ＯＬＴ（副局側装置、第２の局側装置）、１２ｃ，１２ｋ，１２ｌ，１２ｏ，１２ｑ，１３ｃ  ゲートフレーム解読生成器、１３  副ＯＬＴ（第３の局側装置）、２１，２２  上位ネットワーク、３１〜３５  ＯＮＵ（光回線終端装置）、３１ｄ，３３ｄ，３５ｄ  ユーザ側インタフェース、３１ｆ，３３ｆ，３５ｆ  ゲートフレーム解読器、３１ｇ，３３ｇ，３５ｇ  上りキュー、４１〜４３  ユーザ端末、５１  電気信号ライン（電気信号線）、６１  スイッチ（切り替え手段）。
【図１】
2010166237.tif 000003
【図２】
2010166237.tif 000004
【図３】
2010166237.tif 000005
【図４】
2010166237.tif 000006
【図５】
2010166237.tif 000007
【図６】
2010166237.tif 000008
【図７】
2010166237.tif 000009
【図８】
2010166237.tif 000010
【図９】
2010166237.tif 000011
【図１０】
2010166237.tif 000012
【図１１】
2010166237.tif 000013
【図１２】
2010166237.tif 000014